(57)【要約】      （修正有）【課題】閉封後は不用意に開封せずに閉封状態を保持し、開封時には少ない抵抗で容易に開封でき、耐久性に優れた係止機構を備える包装用箱を提供する。【解決手段】箱本体部１２は、第二側板の上端に連設される折込板２９と、折込板２９の折り曲げに伴って箱本体部１２の外側へ突出する爪係止部３０とを有し、蓋部は、第一側板の上端に連設される蓋天板と、第一蓋側板と、第二蓋側板と、蓋連結板と、蓋連結板の蓋天板側の端縁に被係止部とを有し、係止機構は、爪係止部３０を被係止部に係止して閉封を保持し、係止を解除して開封するものであって、爪係止部３０の基端部３０Ｂは、蓋天板折線を有する側に第一基端部３０ｂと蓋天板折線と対向する側に第二基端部３０ｃとを有し、第二基端部３０ｃは第一基端部３０ｂよりも箱本体部１２の内部側に形成する。【選択図】図６
0003189393.tif 000002
【実用新案登録請求の範囲】
【請求項１】
少なくとも上側に開口部を有する箱本体部と、当該箱本体部に蓋天板折線を介して連設され、当該蓋天板折線を基軸に回動して前記開口部を閉封又は開封する蓋部と、当該蓋部を前記箱本体部に係止して閉封を保持し、係止を解除して開封する係止機構と、を備える包装用箱であって、
前記箱本体部は、底板と、当該底板に対して起立し、互いに対向する一対の第一側板と、当該第一側板に隣接するとともに前記底板に対して起立し、互いに対向する一対の第二側板と、当該第二側板の上端に折込板折線を介して連設され、前記箱本体部の内部側へ折り曲げられて略水平に延在する折込板と、切込線によって形成され、当該折込板の折り曲げに伴って前記箱本体部の外側へ略水平に突出する爪係止部とを有し、
前記蓋部は、前記一対の第一側板のうちのいずれかの第一側板の上端に、前記蓋天板折線を介して連設される蓋天板と、前記蓋天板折線と対向する位置に、前記蓋天板に対して起立する第一蓋側板と、当該第一蓋側板に隣接するとともに前記蓋天板に対して起立し、互いに対向する一対の第二蓋側板と、前記第一蓋側板に連設され、前記第二蓋側板の内側に固定されて前記第一蓋側板と前記第二蓋側板とを連結する蓋連結板と、当該蓋連結板の前記蓋天板側の端縁に被係止部とを有し、
前記係止機構は、前記爪係止部を前記被係止部に係止して閉封を保持し、係止を解除して開封するものであって、
前記爪係止部は、爪部と、基端部とを有し、
前記基端部は、前記爪部が前記箱本体部の外側へ略水平に突出した状態において、前記蓋天板折線を有する側に第一基端部と、前記蓋天板折線と対向する側に第二基端部とを有し、前記第二基端部は前記第一基端部よりも前記箱本体部の内部側に形成することを特徴とする包装用箱。
【請求項２】
請求項１に記載する包装用箱であって、
前記爪部を略コの字形状に形成することを特徴とする包装用箱。
【請求項３】
請求項１又は請求項２に記載する包装用箱であって、
前記爪部の前記第一基端部側に、短側縁を形成し、
前記爪部の前記第二基端部側に、長側縁を形成することを特徴とする包装用箱。
【請求項４】
請求項１から請求項３のいずれか一項に記載する包装用箱であって、
前記第一基端部を前記折込板と前記第二側板との境界上に形成し、前記第二基端部を前記折込板に形成することを特徴とする包装用箱。
【請求項５】
請求項１から請求項４のいずれか一項に記載する包装用箱であって、
前記爪係止部を前記被係止部に係止した状態において、前記爪部の前記第一基端部側と前記被係止部とが非接触であることを特徴とする包装用箱。
【考案の詳細な説明】
【技術分野】
【０００１】  本考案は、包装用箱に関し、より詳細には蓋部と箱本体部との係止機構を備えた包装用箱に関する。
【背景技術】
【０００２】  従来、多角形の底板の外周辺に周壁を連設して容器本体を形成し、この周壁の上端に、蓋周壁を備える蓋体を連設した包装用箱が知られている。
このような包装用箱では、閉封後は不用意に開封することなく閉封状態を保持し、開封しようとする時には、少ない抵抗で容易に開封できる蓋部と容器本体との係止機構が望まれる。
そこで、容器本体の周壁の上端に略水平方向内向きに折り曲げられる上部フラップを連設し、当該上部フラップの折り曲げに伴って容器本体の周壁の外周に突出する爪部を切り残し形成し、当該爪部を、蓋周壁を連結する接着片の天板側の上縁に係合させて閉封状態を保持し、開封するにあたっては、蓋体を開封する方向へ回動させ、爪部を接着片の天板側の上縁から離脱させて係合を解除する構造が知られている（特許文献１参照）。【０００３】  このような係止構造では、不用意に開封しないようにするためには爪部の突出長さを大きくするなどして、接着片の天板側の上縁との係合を強固とする必要がある。しかし、そのように構成した場合には、開封時に爪部が接着片の天板側の上縁から離脱し難くなって係合の解除が困難となる。また、このような場合に強引に開封すると、爪部が折れ曲がったり、破損するなどして再度の係合ができなくなる場合がある。
一方、開封を容易とするために、爪部の突出長さを小さくした場合には、開封しやすくはなるものの、爪部が接着片の天板側の上縁から離脱しやすくなり、不用意に開封してしまう恐れがある。【０００４】
【先行技術文献】
【特許文献】
【０００５】
【特許文献１】実用新案登録３１０２４２６号公報
【考案の開示】
【考案が解決しようとする課題】
【０００６】  本考案は前記課題に鑑みてなされたものであって、閉封後は不用意に開封せずに閉封状態を保持し、開封時には少ない抵抗で容易に開封でき、かつ耐久性に優れた係止機構を備える包装用箱を提供することを課題とする。
【課題を解決するための手段】
【０００７】  本考案の解決しようとする課題は以上の如くであり、次にこの課題を解決するための手段を説明する。【０００８】  第１の考案では、少なくとも上側に開口部を有する箱本体部と、当該箱本体部に蓋天板折線を介して連設され、当該蓋天板折線を基軸に回動して前記開口部を閉封又は開封する蓋部と、当該蓋部を前記箱本体部に係止して閉封を保持し、係止を解除して開封する係止機構と、を備える包装用箱であって、
前記箱本体部は、底板と、当該底板に対して起立し、互いに対向する一対の第一側板と、当該第一側板に隣接するとともに前記底板に対して起立し、互いに対向する一対の第二側板と、当該第二側板の上端に折込板折線を介して連設され、前記箱本体部の内部側へ折り曲げられて略水平に延在する折込板と、切込線によって形成され、当該折込板の折り曲げに伴って前記箱本体部の外側へ略水平に突出する爪係止部とを有し、
前記蓋部は、前記一対の第一側板のうちのいずれかの第一側板の上端に、前記蓋天板折線を介して連設される蓋天板と、前記蓋天板折線と対向する位置に、前記蓋天板に対して起立する第一蓋側板と、当該第一蓋側板に隣接するとともに前記蓋天板に対して起立し、互いに対向する一対の第二蓋側板と、前記第一蓋側板に連設され、前記第二蓋側板の内側に固定されて前記第一蓋側板と前記第二蓋側板とを連結する蓋連結板と、当該蓋連結板の前記蓋天板側の端縁に被係止部とを有し、
前記係止機構は、前記爪係止部を前記被係止部に係止して閉封を保持し、係止を解除して開封するものであって、
前記爪係止部は、爪部と、基端部とを有し、
前記基端部は、前記爪部が前記箱本体部の外側へ略水平に突出した状態において、前記蓋天板折線を有する側に第一基端部と、前記蓋天板折線と対向する側に第二基端部とを有し、前記第二基端部は前記第一基端部よりも前記箱本体部の内部側に形成することを特徴とする。【０００９】  第２の考案では、第１の考案であって、前記爪部を略コの字形状に形成することを特徴とする。【００１０】  第３の考案では、第１又は第２の考案であって、
前記爪部の前記第一基端部側に、短側縁を形成し、
前記爪部の前記第二基端部側に、長側縁を形成することを特徴とする。【００１１】  第４の考案では、第１から第３のいずれかの考案であって、
前記第一基端部を前記折込板と前記第二側板との境界上に形成し、前記第二基端部を前記折込板に形成することを特徴とする。【００１２】  第５の考案では、第１から第４のいずれかの考案であって、
前記爪係止部を前記被係止部に係止した状態において、前記爪部の前記第一基端部側と前記被係止部とが非接触であることを特徴とする。
【考案の効果】
【００１３】  本考案によれば、爪係止部と被係止部との係止により、閉封後は不用意に開封せずに閉封状態を保持し、開封時には少ない抵抗で容易に開封でき、かつ耐久性に優れた係止機構を備える包装用箱とすることができる。
【図面の簡単な説明】
【００１４】
【図１】包装用箱１１の開封状態を示す斜視図。
【図２】包装用箱１１の閉封状態を示す斜視図。
【図３】包装用箱１１の展開体１の平面図。
【図４】包装用箱１１の折り畳み途中を示す平面図。
【図５】包装用箱１１の半完成状態を示す平面図。
【図６】包装用箱１１の爪係止部３０付近の部分拡大平面図。
【図７】包装用箱１１の係止機構を示す要部拡大斜視図。
【図８】包装用箱１１の係止機構を示す要部拡大斜視図。
【図９】包装用箱１１の係止機構を示す要部拡大斜視図。
【図１０】（ａ）包装用箱１１の係止機構を示す、一部を切り欠いた要部拡大平面図。（ｂ）包装用箱１１の係止機構を示す、一部を切り欠いた要部拡大平面図。
【図１１】（ａ）図１０（ｂ）に示すＡ１−Ａ１線端面図。（ｂ）図１０（ｂ）に示すＡ２−Ａ２線端面図。
【図１２】その他の実施形態を示す要部拡大斜視図。
【図１３】（ａ）（ｂ）その他の実施形態を示す要部拡大平面図。
【考案を実施するための形態】
【００１５】  本考案の実施形態に係る包装用箱１１について、図１から図１１を用いて説明する。
【００１６】  以下に説明する本考案の包装用箱１１は、食品等の様々な物品を収容する包装用箱である。包装用箱１１は、板紙を用いて作成されるものであるが、段ボールシートやプラスチックシートなど他の板状部材で形成することもできる。
【００１７】  包装用箱１１は、図１に示すように、箱本体部１２に蓋部１３を連設する。
包装用箱１１は、図３に示す展開体１を組み立てて、図１、図２の示す組み立て完成状態とする。
【００１８】  図１は包装用箱１１の開封状態、図２は包装用箱１１の閉封状態を示している。図３は包装用箱１１の展開体１を箱内面側を紙面手前側として示している。
【００１９】    以下においては、便宜上、図中の矢印の方向に従って説明を行うが、本考案においては図中の矢印の方向に従って実施されることに特に限定するものではない。
【００２０】  まず、包装用箱１１の構成について、図３に従って説明する。
【００２１】  包装用箱１１の箱本体部１２を構成する部分について説明する。
底板２１は、包装用箱１１の底部を構成する部分である。
底板２１の上下側の端縁には、折線４１、４２を介して、箱本体部１２の前後側の側板を構成する一対の第一側板２２、２３を連設している。底板２１の左右側の端縁には、折線４３を介して、箱本体部１２の左右側の側板を構成する一対の第二側板２４を連設している。底板２１と第二側板２４との間には、折線４３を分断するように、略コの字形状に切り込んで受入部４３ａを形成している。
【００２２】  また、第一側板２２の左右側の端縁には、折線４４を介して側板連結板２５を連設している。側板連結板２５の下側の端縁には、組み立て時に受入部４３ａに差し込む差込片２５ａを形成している。
【００２３】  また、第一側板２３の下側の端縁には、折線４５を介して挟持板２６を連設している。第一側板２３の左右側の端縁には、折線４６を介して、重合板２７を連設している。
【００２４】  また、一対の第二側板２４の下側の端縁には折線４７を介して保持板２８を、左右側の端縁には折込板折線４８を介して折込板２９を連設している。さらに、第二側板２４と折込板２９には、底板２１の上側の角付近からおおよそ４５度の折線４９を形成している。
【００２５】  また、折込板２９と第二側板２４との境界付近には、折込板折線４８を分断するように、略コの字形状の切込線３０ａによって爪係止部３０を形成している。爪係止部３０については、後に詳細に説明する。
【００２６】  次に、包装用箱１１の蓋部１３を構成する部分を説明する。
【００２７】  第一側板２２の上側の端縁には、蓋天板折線５１を介して蓋天板３１を連設している。蓋天板３１の上側の端縁には、折線５２を介して蓋部１３の前側の側板を構成する第一蓋側板３２を連設している。蓋天板３１の左右側の端縁には、折線５３を介して蓋部１３の左右側の側板を構成する一対の第二蓋側板３３を連設している。また、一対の第二蓋側板３３には、蓋天板３１の上側の角付近からおおよそ４５度の折線５４を形成している。
【００２８】  第一蓋側板３２の左右側の端縁には、折線５５を介して蓋連結板３４を連設している。組み立て完成状態における蓋連結板３４の蓋天板３１側の端縁は、被係止部３４ａを形成する。被係止部３４ａについては、後に詳細に説明する。
【００２９】  次に、包装用箱１１を展開体１から半完成状態まで組み立てる手順について、図３から図５に従って説明する。
図４は、展開体１の折り畳み途中を示す平面図であり、図５は折り畳みが完成した状態であって、半完成状態を示す平面図である。
包装用箱１１は半完成状態で保管され、使用時に組み立てて完成状態として使用される。
【００３０】  包装用箱１１は、まず、図３に示す展開体１の状態から図４に示す状態へと折畳まれる。
具体的には、折線４６に沿って重合板２７を折り曲げて第一側板２３の内面に重ね、接着剤等で固定する。次に、折線４５に沿って挟持板２６を折り曲げて、前記のように折り畳まれた重合板２７の外面及び第一側板２３の内面に重ね、挟持板２６と第一側板２３とが接触する部分を固定する。ここで、重合板２７と挟持板２６とが重なる部分は、固定されずに間隙部を形成する。
次に、折線４３に沿って第二側板２４を折り曲げて、第二側板２４及び折込板２９を底板２１の内面に重ねるとともに、折線４９に沿って第二側板２４の上側を折り曲げて、折込板２９とともに第二側板２４の外面と重ねる。次に、折線４４に沿って側板連結板２５を折り曲げて、第一側板２２の内面に重ねる。次に、折線５３に沿って第二蓋側板３３を折り曲げて蓋天板３１の裏面に重ねるとともに、折線５４に沿って第二蓋側板３３の上側を折り曲げて、第二蓋側板３３の外面と重ねる。続いて、折線５５に沿って蓋連結板３４を折り曲げて、第一蓋側板３２の内面と重ねる。さらに、折線５２に沿って第一蓋側板３２を折り曲げて、蓋天板３１の内面に重ねるとともに、蓋板連結板３４の外面は折り曲げられた第二蓋側板３３の上側の内面と重ね、当該重なった部分を接着剤等で固着する。この状態において、図４に示す状態となる。
続いて、折線４１に沿って第一側板２２を折り曲げて、底板２１の内面に重ねるとともに、側板連結板２５の表面は折り曲げられた第二側板２４の上側の内面と重ね、当該重なった部分を接着剤等で固着する。すると、図５に示すように、コンパクトで平坦な半完成状態となる。
【００３１】  次に、折畳まれた半完成状態の包装用箱１１を完成状態まで組み立てる手順について説明する。
【００３２】  まず、図５に示す半完成状態から、底板２１に重ねられた第一側板２２を上方に引き上げ、底板２１に対して起立させる。すると、第一側板２２に連設した側板連結板２５、さらに側板連結板２５と固着された第二側板２４の上側も同時に引き上げられ、折線４９に沿って折り曲げられ重ねられた第二側板２４が略同一平面に展開して、底板２１に対して略直角に起立する。側板連結板２５は、第二側板２４の内部側に略直角に起立する。このとき、第二側板２４は、折線４９によって箱本体部１２の内部側へ、くの字形状に折れ曲がろうとするが、差込片２５ａを受入部４３ａに差し込むことで、側板連結板２５が第二側板２４に重なって、折れ曲がりを防止する。
この状態において、底板２１に対して第一側板２２、第二側板２４が起立し、箱本体部１２の上側に形成された開口部１４及び前側に形成された開口部から物品を箱本体部１２内に収容することができる。
【００３３】  物品を箱本体部１２へと収容した後は、折線４２に沿って第一側板２３を折り曲げて、底板２１に対して起立させ、折線４７に沿って保持板２８を第一側板２３に沿う方向へ折り曲げ、重合板２７と挟持板２６とによって形成された間隙部に差し込めば、第一側板２３の起立が保持されて、前側の開口部が閉封される。
続いて、折込板折線４８に沿って折込板２９を箱本体部１２の内部側へ略水平に折り曲げる。このとき、折込板２９の折り曲げに伴って、爪係止部３０が第二側板２４の外側へ略水平に突出する。
【００３４】  次に、折り畳まれて平坦となっている蓋部１３の第一蓋側板３２を蓋天板３１に対して起立させる。すると、第一蓋側板３２に連設した蓋連結板３４、さらに蓋連結板３４と固着された第二蓋側板３３の上側も同時に引き上げられ、折線５４に沿って折り曲げられ重ねられた第二蓋側板３３が略同一平面に展開して、蓋天板３１に対して略直角に起立する。蓋連結板３４は、第二蓋側板３３の内部側に略直角に起立する。このとき、蓋連結板３４の蓋天板３１側の端縁は、被係止部３４ａを形成する。また、第二蓋側板３３は、折線５４によって蓋部１３の内部側へ、くの字形状に折れ曲がろうとするが、蓋連結板３４が第二蓋側板３３に重なって、折れ曲がりを防止する。
この状態において、蓋天板３１に対して第一蓋側板３２、第二蓋側板３３が起立した状態となり、図１に示す状態となる。
続いて、蓋天板折線５１に沿って蓋天板３１を折り曲げて回動させ、蓋天板３１を開口部１４に、第一蓋側板３２を第一側板２３の上側に、第二蓋側板３３を第二側板２４の上側に被せれば、開口部１４が閉封されて図２に示す状態となる。
【００３５】  次に、係止機構について、図６から図１１を用いて説明する。
係止機構は、爪係止部３０を被係止部３４ａに係止して閉封を保持し、係止を解除して開封するものである。
【００３６】  まず、爪係止部３０について、図６を用いて説明する。
図６は、組み立て完成状態の包装用箱１１の爪係止部３０付近の部分を拡大した平面図である。
爪係止部３０は、爪部３０Ａと、基端部３０Ｂとによって構成される。
【００３７】  爪係止部３０は、切込線３０ａによって折込板２９と第二側板２４とを略コの字形状に切り込んで形成している。
爪部３０Ａは、切込線３０ａによって区画された部分であり、折込板２９の折り曲げに伴って先端側が箱本体部１２の外側へ略水平に突出し、被係止部３４ａに係止する。
基端部３０Ｂは、爪部３０Ａの基端部であり、蓋天板折線５１側（図示後側）に、切込線３０ａの始端又は終端である第一基端部３０ｂと、蓋天板折線５１と対向する側（図示前側）に、切込線３０ａの始端又は終端である第二基端部３０ｃとを有する。
第一基端部３０ｂは、折込板２９上であって、爪係止部３０を箱本体部１２の外側へ略水平に突出させた状態において、第二基端部３０ｃよりも箱本体部１２の外側に形成している。
第二基端部３０ｃは、折込板２９上であって、爪係止部３０を箱本体部１２の外側へ略水平に突出させた状態において、第一基端部３０ｂよりも箱本体部１２の内部側に形成している。
また、爪部３０Ａの第一基端部３０ｂ側の側縁及び第二基端部３０ｃ側の側縁は、箱本体部１２の外側へ突出する部分の長さを同じにしているので、爪部３０Ａの第二基端部３０ｃ側の側縁は、第一基端部３０ｂ側の側縁よりも長い側縁である、長側縁３０ｅを形成する。第一基端部３０ｂ側の側縁は、第二基端部３０ｃ側の側縁（長側縁３０ｅ）の側縁よりも短い側縁である、短側縁３０ｄを形成する。
【００３８】  次に、被係止部３４ａについて図７を用いて説明する。図７は、包装用箱１１の閉封前の状態を示す係止機構付近の要部拡大斜視図である。
【００３９】  被係止部３４ａは、爪係止部３０と係止する部分であって、蓋部１３の内面側に形成している。
具体的には、図７に示すように、第二蓋側板３３の内側に固定された蓋連結板３４の蓋天板３１側の端縁と蓋天板３１の内面との間に隙間を形成し、蓋連結板３４の蓋天板３１側の端縁に被係止部３４ａを形成している。
【００４０】  係止機構の係止状態について、図７、図８、図１０（ａ）に従って説明する。
図８は、係止機構の係止状態を示す要部拡大斜視図である。
図１０（ａ）は係止機構の係止状態を示す要部拡大平面図であって蓋天板３１の一部を切り欠いて示している。
蓋天板折線５１を基軸として蓋部１３を閉封する方向（図示下側）へ回動させ、箱本体部１２に被せて閉封すると（図７参照）、図８、図１０（ａ）に示すように、爪部３０Ａが被係止部３４ａと蓋天板３１の内面との隙間に挿入され、爪部３０Ａが被係止部３４ａと係止して包装用箱１１の閉封を保持する。
【００４１】  なお、前記のように本実施形態の包装用箱１１は、半完成状態において第二蓋側板３３が折線５４によって平坦に折り畳まれ、完成状態において略同一平面に展開され、第二蓋側板３３と蓋連結板３４とが重なって第二蓋側板３３の起立が保持されるが、第二蓋側板３３は、折線５４によって蓋部１３の内部側へ略くの字形状に折れ曲がろうとするため、蓋連結板３４は蓋部１３の内部側へ押され、被係止部３４ａと爪係止部３０とが接近して、係止はより強固なものとなっている。
【００４２】  次に、係止機構の係止解除について、図９、図１０（ｂ）、図１１に従って説明する。
図９は、蓋部１３を開封する方向へ回動させて、係止を解除した状態示す要部拡大斜視図である。図１０（ｂ）は、蓋部１３を開封する方向に回動させて、係止を解除した状態を示す要部拡大平面図であって、蓋天板３１の一部を切り欠いて示している。図１１（ａ）は、図１０（ｂ）に示すＡ１−Ａ１線の端面図であって、爪部３０Ａの第二基端部３０ｃ側（長側縁３０ｅ側）が被係止部３４ａから離脱する状態を示している。図１１（ｂ）は、図１０（ｂ）に示すＡ２−Ａ２線の端面図であって、爪部３０Ａの第一基端部３０ｂ側（短側縁３０ｂ側）が被係止部３４ａから離脱する状態を示している。
包装用箱１１を開封すべく、蓋天板折線５１を基軸に蓋部１３を開封する方向（図示上側）に回動させると、爪係止部３０が被係止部３４ａから離脱して係止が解除され、包装用箱１１が開封される。
【００４３】  具体的には、蓋天板折線５１を基軸に蓋部１３を開封する方向に回動させようすると、被係止部３４ａと係止する爪部３０Ａが抵抗するが、さらに回動させると、被係止部３４ａは爪部３０Ａを開封する方向に持ち上げ、爪部３０Ａは板紙の撓みによってやがては被係止部３４ａから離脱して、爪部３０Ａと被係止部３４ａとの係止が解除される。
【００４４】  さらに具体的に述べる。
蓋部１３を開封する方向に回動させると、被係止部３４ａもともに回動するが、被係止部３４ａの回動軌跡に従って、被係止部３４ａはまず爪部３０Ａの第二基端部３０ｃ側（長側縁３０ｅ側）を開封する方向に持ち上げようとし、続いて第一基端部３０ｂ側（短側縁３０ｄ側）を開封する方向に持ち上げようとする。
ここで、第二基端部３０ｃは、爪係止部３０を箱本体部１２の外側へ略水平に突出させた状態において、第一基端部３０ｂよりも箱本体部１２の内部側に形成されているため、爪部３０Ａの第二基端部３０ｃ側（長側縁３０ｅ側）は、第一基端部３０ｂ側（短側縁３０ｄ側）よりも開封する方向に持ち上がりやすく、被係止部３４ａの開封する方向への回動に対する抵抗が小さい。一方、第一基端部３０ｂは、爪係止部３０を箱本体部１２の外側へ略水平に突出させた状態において、第二基端部３０ｃよりも箱本体部１２の外側に形成されているため、爪部３０Ａの第一基端部３０ｂ側（短側縁３０ｄ側）は、第二基端部３０ｃ側（長側縁３０ｅ側）よりも開封する方向に持ち上がりにくく、被係止部３４ａの開封する方向への回動に対する抵抗が大きい。
また、爪部３０Ａの第二基端部３０ｃ側（長側縁３０ｅ側）は第一基端部３０ｂ側（短側縁３０ｄ側）に対して側縁が長いため、第一基端部３０ｂ側（短側縁３０ｄ側）よりも撓みやすく、被係止部３４ａの開封する方向への回動に対する抵抗が小さい。一方、第一基端部３０ｂ側（短側縁３０ｄ側）は、第二基端部３０ｃ側（長側縁３０ｅ側）に対して側縁が短いため、第二基端部３０ｃ側（長側縁３０ｅ側）よりも撓みにくく、被係止部３４ａの開封する方向への回動に対する抵抗が大きい。
【００４５】  したがって、蓋部１３を開封する方向へ回動させると、爪部３０Ａはまず、被係止部３４ａの開封する方向への回動に対して抵抗が小さい第二基端部３０ｃ側（長側縁３０ｅ側）が、箱本体部１２の外側へ略水平に突出した状態から撓みながら捲り上がるように被係止部３４ａから離脱し（図９、図１０（ｂ）、図１１（ａ）参照）、続いて、被係止部３４ａの開封する方向への回動に対する抵抗が大きい第一基端部３０ｂ側（短側縁３０ｄ側）が、箱本体部１２の外側へ略水平に突出した状態をほぼ維持したまま滑るように被係止部３４ａから離脱して、爪係止部３０と被係止部３４ａの係止が解除される（図９、図１０（ｂ）、図１１（ｂ）参照）。
【００４６】  なお、被係止部３４ａから離脱した爪部３０Ａは、第一基端部３０ｂ側（短側縁３０ｄ側）が箱本体部１２の外側へ略水平に突出した状態をほぼ維持したまま離脱しているため、捲り上がった第二基端部３０ｃ側（長側縁３０ｅ側）は箱本体部１２の外側へ略水平に突出した状態へと復元しやすくなっている。
【００４７】  上記のように、本考案の包装用箱１１は、少なくとも上側に開口部１４を有する箱本体部１２と、箱本体部１２に蓋天板折線５１を介して連設され、蓋天板折線５１を基軸に回動して開口部１４を閉封又は開封する蓋部１３と、蓋部１３を箱本体部１２に係止して閉封を保持し、係止を解除して開封する係止機構と、を備える包装用箱１１であって、
箱本体部１２は、底板２１と、底板２１に対して起立し、互いに対向する一対の第一側板２２、２３と、第一側板２２、２３に隣接するとともに底板２１に対して起立し、互いに対向する一対の第二側板２４と、第二側板２４の上端に折込板折線４８を介して連設され、箱本体部１２の内部側へ折り曲げられて略水平に延在する折込板２９と、切込線３０ａによって形成され、折込板２９の折り曲げに伴って箱本体部１２の外側へ略水平に突出する爪係止部３０と、を有し、
蓋部１３は、一対の第一側板２２、２３のうちの一方の第一側板２２の上端に、蓋天板折線５１を介して連設される蓋天板３１と、蓋天板折線５１と対向する位置に、蓋天板３１に対して起立する第一蓋側板３２と、第一蓋側板３２に隣接するとともに蓋天板３１に対して起立し、互いに対向する一対の第二蓋側板３３と、第一蓋側板３２に連設され、第二蓋側板３３の内側に固定されて第一蓋側板３２と第二蓋側板３３とを連結する蓋連結板３４と、蓋連結板３４の蓋天板３１側の端縁に被係止部３４ａと、を有し、
係止機構は、爪係止部３０を被係止部３４ａに係止して閉封を保持し、係止を解除して開封するものであって、
爪係止部３０は、爪部３０Ａと、基端部３０Ｂとを有し、
基端部３０Ｂは、爪部３０Ａが箱本体部１２の外側へ略水平に突出した状態において、蓋天板折線５１を有する側に第一基端部３０ｂと、蓋天板折線５１と対向する側に第二基端部３０ｃとを有し、第二基端部３０ｃは第一基端部３０ｂよりも箱本体部１２の内部側に形成するものである。
【００４８】  また、爪部３０Ａを略コの字形状に形成するとともに、爪部３０Ａの第一基端部３０ｂ側に短側縁３０ｄを形成し、第二基端部３０ｃ側に長側縁３０ｅを形成するものである。
【００４９】  このため、爪係止部３０と被係止部３４ａとの係止を強固として、閉封後は不用意に開封しない閉封状態を保持しつつ、開封時に蓋部１３を開封する方向へ回動させると、爪部３０Ａはまず、被係止部３４ａの開封する方向への回動に対して抵抗が小さい第二基端部３０ｃ側（長側縁３０ｅ側）が、箱本体部１２の外側へ略水平に突出した状態から撓みながら捲り上がるように被係止部３４ａから離脱し、続いて、被係止部３４ａの開封する方向への回動に対する抵抗が大きい第一基端部３０ｂ側（短側縁３０ｄ側）は、箱本体部１２の外側へ略水平に突出した状態をほぼ維持したまま滑るように被係止部３４ａから離脱して、爪係止部３０と被係止部３４ａの係止が解除されるため、開封が容易である。さらに、被係止部３４ａから離脱した爪部３０Ａは、第一基端部３０ｂ側（短側縁３０ｄ側）が箱本体部１２の外側へ略水平に突出した状態をほぼ維持したまま離脱しているため、捲り上がった第二基端部３０ｃ側（長側縁３０ｅ側）が略水平に突出した状態へと復元しやすくなり、爪係止部３０の折れ曲がりや破損が生じにくく、耐久性に優れ、閉封・開封を繰り返すことが可能となる。
【００５０】  以上、本考案の実施形態について説明したが、本考案の技術的範囲は、これらの実施形態に限定されるものではない。
【００５１】  例えば、本実施形態では、爪係止部３０を被係止部３４ａに係止した状態において、爪部３０Ａの第一基端部３０ｂ側と第二基端部３０ｃ側のいずれもが被係止部３４ａと係止しているが、図１２に示すように、第二基端部３０ｃ側と被係止部３４ａとが係止し、第一基端部３０ｂ側と被係止部３４ａとが非接触となるように構成してもよい。
【００５２】  このように構成した場合、蓋部１３を開封する方向へ回動させると、爪部３０Ａは主に第二基端部３０ｃ側を撓ませ捲り上げるように被係止部３４ａから離脱するため、被係止部３４ａの開封する方向への回動に対して抵抗が小さく、容易に開封することができる。
【００５３】  また、図１３（ａ）に示すように、爪部３０Ａの第二基端部３０ｃ側を最も第二側板２４の外側に突出させる形状としたり、図１３（ｂ）に示すような湾曲形状として、第一基端部３０ｂを折込板２９と第二側板２４との境界上に形成し、第二基端部３０ｃを折込板２９に形成しても、本考案の効果を発揮することができる。
【００５４】  また、本実施形態の包装用箱１１は、開口部を上側と前側に形成するものであるが、箱本体部の構成はこれに限定されない。例えば、第一側板と第二側板とを連続して設けて筒状に形成し、開口部を上側のみに設けてもよい。
【符号の説明】
【００５５】１      展開体
１１    包装用箱
１２    箱本体部
１３    蓋部
１４    開口部
２１    底板
２２、２３    第一側板
２４    第二側板
２５    側板連結板
２５ａ  差込片
２６    挟持板
２７    重合板
２８    保持板
２９    折込板
３０    爪係止部
３０Ａ  爪部
３０Ｂ  基端部
３０ａ  切込線
３０ｂ  第一基端部
３０ｃ  第二基端部
３０ｄ  短側縁
３０ｅ  長側縁
３１    蓋天板
３２    第一蓋側板
３３    第二蓋側板
３４    蓋連結板
３４ａ  被係止部
４３ａ  受入部
４８    折込板折線
５１    蓋天板折線
【図１】
0003189393.tif 000003
【図２】
0003189393.tif 000004
【図３】
0003189393.tif 000005
【図４】
0003189393.tif 000006
【図５】
0003189393.tif 000007
【図６】
0003189393.tif 000008
【図７】
0003189393.tif 000009
【図８】
0003189393.tif 000010
【図９】
0003189393.tif 000011
【図１０】
0003189393.tif 000012
【図１１】
0003189393.tif 000013
【図１２】
0003189393.tif 000014
【図１３】
0003189393.tif 000015